(57)【要約】  プリズム（５）の押圧面（３）の上に指紋が押圧される指紋読み取りのための装置（１）は、残留物および溜まりの存在の影響を受けにくく、間接光によって所定のイメージを取得でき、その上に指紋が押圧される採取面（１１）に対して横方向に配置された光源（１５）と、プリズム（５）の内側に向けての反射率が低減された層を有するように処理された、その上に指紋が押圧される面に隣接する面（１２）とを含む。
2010515139.tif 000002
【特許請求の範囲】
【請求項１】
プリズム（５）の押圧面（３）に指紋が押圧され、
光源（１５）が、その上に前記指紋が押圧される採取面（１１）に対して横方向に配置され、
前記指紋が押圧される面に隣接する面が、前記プリズム（５）の内側に向けての反射率が低い層（１３）を有するように処理されている指紋を採取するための装置。
【請求項２】
前記プリズムは、前記押圧面（３）の反対側に採取読取面（１１）を有するアナモルフィックプリズム（５）である請求項１に記載の装置（１）。
【請求項３】
前記アナモルフィックプリズムは、ともに基礎的多角形として直角三角形を有する、第１の直角三角形のプリズム（６）と第２直角三角形のプリズム（７）とを合わせてなる請求項２に記載の装置（１）。
【請求項４】
前記押圧面（３）は、前記アナモルフィックプリズム（５）の第１の傾斜面である請求項２に記載の装置（１）。
【請求項５】
前記採取読取面（１１）は、前記アナモルフィックプリズム（５）の第２の傾斜面である請求項４に記載の装置（１）。
【請求項６】
前記隣接する面（１２）は、高放射率層（１３）で覆う処理がなされている請求項１に記載の装置（１）。
【請求項７】
前記層（１３）は、１に近い高い光吸収率を有する請求項６に記載の装置（１）。
【請求項８】
前記光源（１５）は、複数のＬＥＤ（１６）を含む請求項１に記載の装置（１）。
【請求項９】
前記ＬＥＤは、前記押圧面（３）の横方向の端部（２０）、および、前記押圧面（３）におけるプリズム頂部で、照明がより強くなるように配置されている請求項８に記載の装置（１）。
【請求項１０】
前記光源（１５）が配置された面（１０）は、前記プリズム（５）の内側への光の拡散を促進するようにサテン仕上げされている請求項１に記載の装置（１）。
【請求項１１】
反射面（２７）が、前記採取読取面（１１）の上に形成されたイメージを反射する請求項２に記載の装置（１）。
【請求項１２】
前記ＬＥＤ（１６）は、ＩＲＬＥＤ型のものである請求項１に記載の装置（１）。
【請求項１３】
前記採取読取面の上に形成されたイメージは、７００ｎｍ超の波長の帯域幅を有するフィルタを通してフィルタリングされる請求項１１または１２に記載の装置（１）。
【請求項１４】
光学センサを含む請求項１に記載の装置（１）。
【請求項１５】
前記センサは、ＣＣＤ型のものである請求項１４に記載の装置（１）。
【請求項１６】
実質的に持ち運び可能であり、且つ、前記指紋の処理、記憶および比較のために、周辺機器として、コンピュータに接続するのに適する請求項１に記載の装置（１）。
【請求項１７】
電子パスポートまたは電子ＩＤカードのために必要なデータを生成する装置である請求項１に記載の装置（１）。
【請求項１８】
プリズム（５）を使用して指紋を採取するための方法であって、
指紋を押圧するための第１のプリズムの面（３）を用意する工程と、
前記第１の面（３）に隣接する面（１２）に、前記プリズム（５）の内側に向けての反射率が低い層を設ける工程と、
前記第１の面（３）を横方向から照明する工程と、
さらなるプリズムの面（１１）において前記指紋のイメージを取得するステップとを含む方法。
【請求項１９】
前記プリズムは、アナモルフィックプリズム（５）である請求項１８に記載の方法。
【請求項２０】
前記低減された反射率を有する面は、１に近い光吸収率を有する請求項１８に記載の方法。
【請求項２１】
前記第１の面（３）の横方向端部、および、前記第１の面（３）におけるプリズム頂部で、前記照明がより強い請求項１８に記載の方法。
【請求項２２】
前記照明は、赤外線によってなされる請求項２１に記載の方法。
【発明の詳細な説明】
【技術分野】
【０００１】
本発明は、指紋をプリズムの押圧面に押圧する形式の指紋を採取する装置および方法に関する。
【背景技術】
【０００２】
プリズムが使用され、プリズムの面の１つの上に指紋イメージを投影する、指紋を採取して読み取る光学装置が知られている。ここおよび以下では、プリズムの表面はプリズムの底の間に延伸する三角の面であると理解される。
【０００３】
一般に、最も汎用的な直角三角形プリズムでは、１つの面に光源が配置され、別の１つの面に指紋が置かれ、第３の面、つまり、読取面に、指紋の稜線により反射された光によって形成されたイメージが投影される。
【０００４】
しかしながら、この配置は、読取面に形成されるイメージの、元のイメージの比率に準じない歪みを意味する。広く知られたこの歪みは、イメージ自体の電子処理を通して補償できる。
【０００５】
純粋な光学システムを使用した際のこの欠点を取り除くために、指紋の歪んだイメージ、つまり、通常イメージを読み取るために光学センサが配置される特定の観測点から観察すると元の比率に準じるイメージを形成する、アナモルフィック（歪像）プリズムが利用される。
【０００６】
この歪んだイメージは、光学ではよく知られたアナモルフィックプリズムを通して得られる。
【０００７】
イメージの電子補正を伴う従来のプリズム、および、アナモルフィックプリズムのいずれも、汚れ、特に指紋自身によって残された脂残留物による不具合を被る。
【０００８】
公知のように、そのような残留物は、正しく読み取られれば指紋に返すことができるが、傑出したプリズムを使用した次の指紋を劣化させることも有り得る。ぎりぎりのケースでは、残留物のイメージは、新しい指紋と混同され得る。
【０００９】
このため、個々の状況、例えば、税関、空港等における迅速で頻繁な指紋採取に好ましくない複雑なクリーニング操作を要求することなく、指紋残留物の存在に影響されない指紋採取装置および／または関連する方法を設計することが望まれる。
【発明の概要】
【発明が解決しようとする課題】
【００１０】
本発明の根本的な技術課題は、従来技術について述べた欠点を取り除く装置および方法を提供することである。
【課題を解決するための手段】
【００１１】
この課題は、指紋が押圧される面に対して光源が横方向に配置され、その上に指紋が押圧される面に隣接する１つの面が、プリズム自身の内側に向けての反射率が低い層を有するように処理されている上述の装置によって解決される。
【００１２】
同じ発明のコンセプトに従い、プリズムを使用する指紋採取の方法は、
その上に指紋が押圧される第１のプリズム面を設ける工程と、
前記第１の面に隣接する面に前記プリズムの内側に向けての反射率が低い層を設ける工程と、
前記第１の面を横方向から照明する工程と、
さらなるプリズム面において指紋のイメージを取得する工程とを含む。
【発明の効果】
【００１３】
本発明に係る装置および方法の主な利点は、間接的な光によって、残留物や溜まりの存在に影響を受けにくい所定のイメージを取得することを可能にすることにある。
【００１４】
有利にも、上述の装置および方法は、アナモルフィックプリズムを使用して実施され得る。
【図面の簡単な説明】
【００１５】
本発明は、これ以降、添付の図面を参照しながら、例示および制限的目的で提供されたそれらの好ましい実施形態に関して説明される。
【図１】本発明に係る指紋の採取および読み取りのための装置の部分断面斜視図である。
【図２】図１の装置の細部の部分分解斜視図である。
【図３】図２の細部のその使用を表す斜視図である。
【発明を実施するための形態】
【００１６】
図を参照すると、指紋を採取および読み取りするための装置は、全体を１で示されている。この例の装置は、実質的に持ち運び可能であり、指紋の処理、保存および比較のためのコンピュータに、周辺装置として接続するのに適する。
【００１７】
しかしながら、以下に説明するものは、指紋採取の機能を実行できるいかなる装置にも、例えば、電子パスポートまたは電子ＩＤカードのための必要な情報や定められた点検項目等を生成する装置にも適用できる。
【００１８】
本実施形態の装置１は、オペレータが実質的に手で把持できるケース２と、指紋の押圧面３と、開始ボタン４と、光学装置、ＲＦＩＤ、マイクロチップリーダ等の他の可能な読み取り装置とを含む。
【００１９】
押圧面３は、両方が基礎的多角形として直角三角形を有する第１の直角三角形プリズム６と第２の直角三角形プリズム７との取り合わせの結果としての、装置１のアナモルフィックプリズム５の第１の面である。
【００２０】
この種のプリズムにおいて、プリズムの底をなす直角三角形の斜辺である大きい幅を有する面が、傾斜面として理解される。前記押圧面３は、第１のプリズム６の第１の傾斜面である。
【００２１】
第１のプリズム６の第１の非傾斜面８は、第２のプリズム７のそれぞれの非傾斜面である。
【００２２】
前記第１の傾斜面３は、プリズム６自身の第１の三角形の底９と、前記第１の底と反対側の三角形の底によりもたらされる平面、および、第２のプリズム７の第２の非傾斜面１０との間に延伸する。前記平面１０は、このため、直角台形の形状を有する。アナモルフィックプリズム５の第２の傾斜面は、第２のプリズム７に属し、第１の傾斜面３の反対側にあり、アナモルフィックプリズム５の採取読取面１１をなす。
【００２３】
押圧面３に隣接する第１のプリズム６の第２の非傾斜面１２は、第２のプリズム７の底とともに、さらなる直角台形を形成する。
【００２４】
第１のプリズム６の前記第２の非傾斜面１２、つまり、アナモルフィックプリズム５の押圧面に隣接する面は、プリズム５の内側に向けての反射率が低減された層を示すように処理されている。
【００２５】
この実施形態において、面１２は、高放射率層１３で覆う処理がなされている。特に、そのような層１３は、光を反射できない黒体と同等の、略１に近い光吸収率、つまり、略ゼロに近い反射率を有することができる。
【００２６】
しかしながら、これらの光学特性は、少なくとも装置１の動作波長、つまり、７００ｎｍ長（赤外範囲）において必要とされるものと理解される。
【００２７】
平面１０において、押圧面３に対して横方向の位置に、装置１は、全体を１５で示した、その上に複数の第１のＬＥＤ１６が配設されて、従来の方法で電気が供給される印刷回路基板により実現された光源を含む。
【００２８】
前記印刷回路基板１５は、平坦であり、平面１０の形状を覆う形状を有する。
【００２９】
そのような印刷回路基板１５およびアナモルフィックプリズム５は、押圧面３を覆わずに採取面１１を収容し、その前部に第１の開口１８が形成された第１のケース１７に収容される。さらに、位置決めレール１９が、印刷回路基板１５のために設けられている。
【００３０】
印刷回路基板上の第１のＬＥＤ１６の配置から、照明は、第１のＬＥＤ１６の組み２２が配置された押圧面３の横方向の端部２０および平面１０の頂部において、より強いことが理解される。ＬＥＤ１６の第２の組み２３は、第２プリズム７の平面１０の下側端部２１に配置されている。
【００３１】
印刷回路基板１５の上には、第１のＬＥＤ１６と色が異なり、押圧面３を通して装置１の動作を合図するために点灯されることを意図する第２のＬＥＤ２４の第３の組み２４もまた設けられている。
【００３２】
光源が配置される平面１０は、プリズム５内への光の拡散を促進するようにサテン仕上げされている。第２のケース２６が開口１８において第１のケース１７に接続されている。
【００３３】
第２のケース２６は、その上に、典型的には、第１の面にフィルタ層が設けられたフィルタとして機能する、或いは、光線を受光するレンズのみのハウジングレンズ２９（図３）を収容する第２の開口２８に向かって採取読取面１１の上に形成されたイメージを反射する反射面２７を収容する。
【００３４】
本実施形態において、第１のＬＥＤは、ＩＲＬＥＤ型であり、つまり、７００ｎｍ超の波長の赤外線を発する。従って、前記フィルタ層は、７００ｎｍ超の波長の帯域を有する。
【００３５】
装置１は、第２の開口に、指紋のイメージをディジタル化する不図示のディジタル光学センサを含む。センサは、ＣＣＤ型またはＣＭＯＳ型のものである。
【００３６】
ここで説明した装置を参照しながら、以下に、本発明に係る方法の実施形態を詳述する。
【００３７】
そのような方法において、単純な指先の圧力で指紋が押圧される第１の面、具体的にはプリズムの傾斜面が設けられた上述のアナモルフィックプリズムが用意される。
【００３８】
前記第１の面に隣接する面に、好ましくは１に近い光吸収率を有する低減された反射率を有する層が設けられ、前記第１の面が横方向から照明される。
【００３９】
そして、前記第１の面３の反対側の、アナモルフィックプリズムのさらなる面の上で指紋のイメージが採取される。
【００４０】
本実施形態に係る方法において、照明は、前記第１の面の横方向の端部および前記第１の面におけるプリズムの頂部において、より強い。
【００４１】
照明は、赤外線によってなされる。
【００４２】
上述の装置および方法について、当業者は、さらなる要求および不測の要求に応じて、いくつかのさらなる変形および改良を採用するであろうが、いかなる場合も、全て添付した請求の範囲に確定された本発明の範囲に入る。
【図１】
2010515139.tif 000003
【図２】
2010515139.tif 000004
【図３】
2010515139.tif 000005
【国際調査報告】
2010515139.tif 000006
2010515139.tif 000007